【手続補正書】
【提出日】平成19年4月6日(2007.4.6)
【手続補正１】
【補正対象書類名】明細書
【補正対象項目名】発明の名称
【補正方法】変更
【補正の内容】
【発明の名称】印刷制御装置、データ処理装置、データ処理方法、記憶媒体
【手続補正２】
【補正対象書類名】明細書
【補正対象項目名】特許請求の範囲
【補正方法】変更
【補正の内容】
【特許請求の範囲】
【請求項１】  所定の記録媒体を縦送りあるいは横送りのいずれからも通紙可能な複数の給紙手段からの記録媒体に対する印刷処理を行う印刷機構の印刷制御装置であって、
入力される印刷情報中で指定される記録媒体の属性に基づき印刷すべき記録媒体の搬送方向を前記縦送りあるいは横送りのいずれかに決定する第１の決定手段と、
前記第１の決定手段により決定された記録媒体の搬送方向と通紙可能な記録媒体の送り方向とに基づいて前記印刷情報を印刷すべき座標系を決定する第２の決定手段と、
前記第２の決定手段により決定された前記印刷すべき座標系に基づいて通紙される記録媒体に対する印刷情報の描画を行う描画手段と、
を有することを特徴とする印刷制御装置。
【請求項２】  前記第１の決定手段は、入力される印刷情報中で指定される記録媒体の属性に一致する記録媒体が通紙可能な方向に基づいて前記縦送りあるいは横送りのいずれかに決定することを特徴とする請求項１記載の印刷制御装置。
【請求項３】  前記第１の決定手段は、入力される印刷情報中で指定される記録媒体の属性に一致する記録媒体が通紙可能な給紙手段を検索して、前記縦送りあるいは横送りのいずれかに決定することを特徴とする請求項２記載の印刷制御装置。
【請求項４】  前記属性は、記録媒体のサイズとすること特徴とする請求項１〜３のいずれかに記載の印刷制御装置。
【請求項５】  前記第１の決定手段は、入力される印刷情報中で指定される記録媒体に対する複数の属性に一致する記録媒体が通紙可能な方向に基づいて前記縦送りあるいは横送りのいずれかに決定することを特徴とする請求項１記載の印刷制御装置。
【請求項６】  前記属性は、記録媒体のサイズと各給紙手段に設定される用紙名称とすること特徴とする請求項１〜５のいずれかに記載の印刷制御装置。
【請求項７】  各給紙手段に設定される用紙名称を設定する設定手段と、
前記設定手段により設定された各給紙手段の用紙名称を記憶する記憶手段を有し、
前記第１の決定手段は、入力される印刷情報中で指定される記録媒体に対するサイズと給紙手段の用紙名称とに一致する記録媒体が通紙可能な方向に基づいて前記縦送りあるいは横送りのいずれかに決定すること特徴とする請求項１〜５のいずれかに記載の印刷制御装置。
【請求項８】  前記記憶手段は、不揮発性記憶媒体で構成したことを特徴とする請求項７記載の印刷制御装置。
【請求項９】  前記印刷機構は、読み出し可能な固有の用紙名称が記憶された記憶部を備える給紙手段を着脱自在に構成したことを特徴とする請求項１記載の印刷制御装置。
【請求項１０】  データ処理装置で編集された各給紙手段に対する用紙名称データを取得して前記記憶手段に登録する登録手段を有することを特徴とする請求項７記載の印刷制御装置。
【請求項１１】  前記用紙名称は、同一の給紙手段に対して異なる用紙名称を複数設定可能とすることを特徴とする請求項７記載の印刷制御装置。
【請求項１２】  データ処理装置からの属性情報の取得要求に基づいて前記記憶手段に登録された用紙名称の一覧を転送する転送手段を有することを特徴とする請求項７記載の印刷制御装置。
【請求項１３】  入力される印刷情報中で指定される記録媒体に対するサイズに一致する給紙手段の用紙名称を表示する表示手段を有すること特徴とする請求項７記載の印刷制御装置。
【請求項１４】  印刷制御装置と通信可能なデータ処理装置であって、
前記印刷制御装置に登録された用紙名称の一覧を取得する取得手段と、
前記取得手段により取得された用紙名称の一覧を表示する表示手段と、
前記表示手段により表示された用紙名称の一覧から所望の用紙名称を選択する選択手段と、
前記選択手段により選択されたいずれかの用紙名称を転送する印刷情報に指定する指定手段と、
を有することを特徴とするデータ処理装置。
【請求項１５】  前記表示手段に表示される用紙名称の一覧に所望の用紙名称を入力する入力手段と、
前記入力手段により入力された用紙名称に基づいて前記印刷制御装置から取得した用紙名称の一覧を編集する編集手段と、
前記編集手段により編集された前記用紙名称の一覧を前記印刷制御装置に転送する転送手段と、を有することを特徴とする請求項１４記載のデータ処理装置。
【請求項１６】  入力手段により入力される識別情報があらかじめ登録されたパスワードと一致するかどうかを判定する判定手段と、
前記判定手段によりパスワードと一致する場合は、前記入力手段による入力を有効とし、パスワードと一致しない場合は、前記入力手段による入力を無効とする用紙名称管理手段と、を有することを特徴とする請求項１４記載のデータ処理装置。
【請求項１７】  所定の記録媒体を縦送りあるいは横送りのいずれからも通紙可能な複数の給紙手段からの記録媒体の印刷処理を行う印刷機構の印刷制御装置のデータ処理方法であって、
入力される印刷情報中で指定される記録媒体の属性に基づき印刷すべき記録媒体の搬送方向を前記縦送りあるいは横送りのいずれかに決定する第１の決定工程と、
前記第１の決定工程により決定されたいずれかの用紙搬送方向と通紙可能な記録媒体の送り方向とに基づいて前記印刷情報を印刷すべき座標系を決定する第２の決定工程と、
前記第２の決定工程により決定された前記印刷すべき座標系に基づいて通紙される記録媒体に対する印刷情報の描画を行う描画工程と、
を有することを特徴とするデータ処理方法。
【請求項１８】  入力される印刷情報中で指定される記録媒体の属性に一致する記録媒体が通紙可能な方向に基づいて前記縦送りあるいは横送りのいずれかに決定することを特徴とする請求項１７記載のデータ処理方法。
【請求項１９】  入力される印刷情報中で指定される記録媒体の属性に一致する記録媒体が通紙可能な給紙手段を検索して、前記縦送りあるいは横送りのいずれかに決定することを特徴とする請求項１８記載のデータ処理方法。
【請求項２０】  前記属性は、記録媒体のサイズとすること特徴とする請求項１７〜１９のいずれかに記載のデータ処理方法。
【請求項２１】  入力される印刷情報中で指定される記録媒体に対する複数の属性に一致する記録媒体が通紙可能な方向に基づいて前記縦送りあるいは横送りのいずれかに決定することを特徴とする請求項１７記載のデータ処理方法。
【請求項２２】  前記属性は、記録媒体のサイズと各給紙手段に設定される用紙名称とすること特徴とする請求項１７〜２１のいずれかに記載のデータ処理方法。
【請求項２３】  各給紙手段に設定される用紙名称を設定する設定工程と、
前記設定工程により設定された各給紙手段の用紙名称をメモリに登録する登録工程を有し、
前記第１の決定工程は、入力される印刷情報中で指定される記録媒体に対するサイズと給紙手段の用紙名称とに一致する記録媒体が通紙可能な方向に基づいて前記縦送りあるいは横送りのいずれかに決定すること特徴とする請求項１７，１９，２１のいずれかに記載のデータ処理方法。
【請求項２４】  前記メモリは、不揮発性記憶媒体で構成したことを特徴とする請求項２３記載のデータ処理方法。
【請求項２５】  前記印刷機構は、読み出し可能な固有の用紙名称が記憶された記憶部を備える給紙手段を着脱自在に構成したことを特徴とする請求項１７記載のデータ処理方法。
【請求項２６】  前記データ処理装置で編集された各給紙手段に対する用紙名称データを取得して前記メモリに登録する登録工程を有することを特徴とする請求項２３記載のデータ処理方法。
【請求項２７】  前記用紙名称は、同一の給紙手段に対して異なる用紙名称を複数設定可能とすることを特徴とする請求項２３記載のデータ処理方法。
【請求項２８】  前記データ処理装置からの属性情報の取得要求に基づいて前記メモリに登録された用紙名称の一覧を転送する転送工程を有することを特徴とする請求項２３記載の印刷制御装置のデータ処理方法。
【請求項２９】  入力される印刷情報中で指定される記録媒体に対するサイズに一致する給紙手段の用紙名称を表示部に表示する表示工程を有すること特徴とする請求項２３記載の印刷制御装置のデータ処理方法。
【請求項３０】  印刷制御装置と通信可能なデータ処理装置により、
前記印刷制御装置に登録された用紙名称の一覧を取得させ、
前記用紙名称の一覧を表示手段に表示させ、
前記表示手段により表示された用紙名称の一覧から選択された用紙名称を転送させることを特徴とするデータ処理方法。
【請求項３１】  前記表示手段に表示される用紙名称の一覧に用紙名称を入力するための用紙名称入力手段により入力された用紙名称に基づいて前記印刷制御装置から取得した用紙名称の一覧を前記データ処理装置により編集させ、
前記データ処理装置により編集された前記用紙名称の一覧を前記印刷制御装置に転送することを特徴とする請求項３０記載のデータ処理装置のデータ処理方法。
【請求項３２】  入力手段により入力される識別情報があらかじめ登録されたパスワードと一致する場合は、前記入力手段による入力を有効とし、前記入力手段により入力される識別情報があらかじめ登録されたパスワードと一致しない場合は、前記入力手段による入力を無効とすることを特徴とする請求項３０記載のデータ処理方法。
【請求項３３】  請求項１７〜３２の何れかに記載のデータ処理方法をコンピュータに実行させるためのプログラムを記録したコンピュータ読み取り可能な記憶媒体。
【手続補正３】
【補正対象書類名】明細書
【補正対象項目名】０００１
【補正方法】変更
【補正の内容】
【０００１】
本発明は、所定の記録媒体を縦送りあるいは横送りのいずれからも通紙可能な複数の給紙手段からの記録媒体に対する印刷処理を行う印刷機構の印刷制御装置のデータ処理に関するものである。
【手続補正４】
【補正対象書類名】明細書
【補正対象項目名】００１２
【補正方法】変更
【補正の内容】
【００１２】
本発明は上記の問題点を解消するためになされたもので、本発明の目的は、印刷情報で指定される論理用紙サイズと同じ属性となる記録媒体を縦送りあるいは横送りのいずれから通紙しても、ワークメモリを確保して何ら画像処理を施すこともなくなり、短時間に意図する印刷結果を得ることができるとともに、属性としてユーザが指定した意図する用紙名称を使用でき、データ処理装置側において、ユーザが意図する用紙名称を指定して、たとえ同サイズの記録媒体が縦送りおよび横送りのいずれでも通紙可能な場合でも、ユーザが指定した用紙名称に合致する送り方向から記録媒体を確実に通紙できる仕組みを提供することである。
【手続補正５】
【補正対象書類名】明細書
【補正対象項目名】００１３
【補正方法】変更
【補正の内容】
【００１３】
【課題を解決するための手段】
本発明に係る印刷制御装置は、以下の特徴的構成を備える。
所定の記録媒体を縦送りあるいは横送りのいずれからも通紙可能な複数の給紙手段からの記録媒体に対する印刷処理を行う印刷機構の印刷制御装置であって、入力される印刷情報中で指定される記録媒体の属性に基づき印刷すべき記録媒体の搬送方向を前記縦送りあるいは横送りのいずれかに決定する第１の決定手段と、前記第１の決定手段により決定された記録媒体の搬送方向と通紙可能な記録媒体の送り方向とに基づいて前記印刷情報を印刷すべき座標系を決定する第２の決定手段と、前記第２の決定手段により決定された前記印刷すべき座標系に基づいて通紙される記録媒体に対する印刷情報の描画を行う描画手段とを有することを特徴とする。
【手続補正６】
【補正対象書類名】明細書
【補正対象項目名】００１４
【補正方法】変更
【補正の内容】
【００１４】
本発明に係るデータ処理制御装置は、以下の特徴的構成を備える。
印刷制御装置と通信可能なデータ処理装置であって、前記印刷制御装置に登録された用紙名称の一覧を取得する取得手段と、前記取得手段により取得された用紙名称の一覧を表示する表示手段と、前記表示手段により表示された用紙名称の一覧から所望の用紙名称を選択する選択手段と、前記選択手段により選択されたいずれかの用紙名称を転送する印刷情報に指定する指定手段とを有することを特徴とする。
【手続補正７】
【補正対象書類名】明細書
【補正対象項目名】００１５
【補正方法】変更
【補正の内容】
【００１５】
本発明に係るデータ処理方法は、以下の特徴的構成を備える。
所定の記録媒体を縦送りあるいは横送りのいずれからも通紙可能な複数の給紙手段からの記録媒体の印刷処理を行う印刷機構の印刷制御装置のデータ処理方法であって、入力される印刷情報中で指定される記録媒体の属性に基づき印刷すべき記録媒体の搬送方向を前記縦送りあるいは横送りのいずれかに決定する第１の決定工程と、前記第１の決定工程により決定されたいずれかの用紙搬送方向と通紙可能な記録媒体の送り方向とに基づいて前記印刷情報を印刷すべき座標系を決定する第２の決定工程と、前記第２の決定工程により決定された前記印刷すべき座標系に基づいて通紙される記録媒体に対する印刷情報の描画を行う描画工程と、を有することを特徴とする。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】００４０
【補正方法】削除
【補正の内容】
【手続補正３３】
【補正対象書類名】明細書
【補正対象項目名】００４１
【補正方法】削除
【補正の内容】
【手続補正３４】
【補正対象書類名】明細書
【補正対象項目名】００４２
【補正方法】削除
【補正の内容】
【手続補正３５】
【補正対象書類名】明細書
【補正対象項目名】００４３
【補正方法】削除
【補正の内容】
【手続補正３６】
【補正対象書類名】明細書
【補正対象項目名】００４４
【補正方法】削除
【補正の内容】
【手続補正３７】
【補正対象書類名】明細書
【補正対象項目名】００４５
【補正方法】削除
【補正の内容】
【手続補正３８】
【補正対象書類名】明細書
【補正対象項目名】００４６
【補正方法】削除
【補正の内容】
【手続補正３９】
【補正対象書類名】明細書
【補正対象項目名】００４７
【補正方法】削除
【補正の内容】
【手続補正４０】
【補正対象書類名】明細書
【補正対象項目名】００４８
【補正方法】削除
【補正の内容】
【手続補正４１】
【補正対象書類名】明細書
【補正対象項目名】００４９
【補正方法】削除
【補正の内容】
【手続補正４２】
【補正対象書類名】明細書
【補正対象項目名】００５０
【補正方法】削除
【補正の内容】
【手続補正４３】
【補正対象書類名】明細書
【補正対象項目名】００５１
【補正方法】削除
【補正の内容】
【手続補正４４】
【補正対象書類名】明細書
【補正対象項目名】００５２
【補正方法】削除
【補正の内容】
【手続補正４５】
【補正対象書類名】明細書
【補正対象項目名】００５３
【補正方法】削除
【補正の内容】
【手続補正４６】
【補正対象書類名】明細書
【補正対象項目名】００５４
【補正方法】削除
【補正の内容】
【手続補正４７】
【補正対象書類名】明細書
【補正対象項目名】００５５
【補正方法】削除
【補正の内容】
【手続補正４８】
【補正対象書類名】明細書
【補正対象項目名】００５６
【補正方法】削除
【補正の内容】
【手続補正４９】
【補正対象書類名】明細書
【補正対象項目名】００５７
【補正方法】削除
【補正の内容】
【手続補正５０】
【補正対象書類名】明細書
【補正対象項目名】００５８
【補正方法】削除
【補正の内容】
【手続補正５１】
【補正対象書類名】明細書
【補正対象項目名】００５９
【補正方法】削除
【補正の内容】
【手続補正５２】
【補正対象書類名】明細書
【補正対象項目名】０２２４
【補正方法】変更
【補正の内容】
【０２２４】
【発明の効果】
以上説明したように、本発明によれば、印刷情報中の論理用紙サイズと同サイズの記録媒体を縦送りあるいは横送りの双方から通紙可能な場合において、通紙可能な送り方向に基づいて印刷情報を展開すべき座標系を決定でき、暫定的な座標系を決定してしまう場合に比べて、印刷情報を展開した後、回転等の処理が不要となるばかりか、メモリ使用量も節約でき、入力される印刷情報に対する印刷結果を短時間に得ることができる。
【手続補正５３】
【補正対象書類名】明細書
【補正対象項目名】０２２６
【補正方法】変更
【補正の内容】
【０２２６】
また、印刷情報中の属性を示す論理用紙サイズと同属性、例えば同サイズの記録媒体を縦送りあるいは横送りの双方から通紙可能な場合において、通紙可能な送り方向に基づいて印刷情報を展開すべき座標系を決定でき、暫定的な座標系を決定してしまう場合に比べて、印刷情報を展開した後、回転等の処理が不要となるばかりか、メモリ使用量も節約でき、入力される印刷情報に対する印刷結果を短時間に得ることができる。
【手続補正５４】
【補正対象書類名】明細書
【補正対象項目名】０２２７
【補正方法】変更
【補正の内容】
【０２２７】
また、いずれか一方に属性、例えば記録媒体のサイズが一致する記録媒体が通紙可能な方向を送り方向に決定することができ、送り方向に制限されることなく属性に一致する給紙口から記録媒体を通紙することができる。
【手続補正５５】
【補正対象書類名】明細書
【補正対象項目名】０２２８
【補正方法】変更
【補正の内容】
【０２２８】
さらに、入力される印刷情報中で指定される記録媒体の属性に一致する記録媒体が通紙可能な給紙口を検索した際に、複数の給紙口が検索される事態が発生しても、ユーザが意図する縦送りあるいは横送りのいずれか１つの送り方向を記録媒体の通紙の送り方向として決定することができる。
【手続補正５６】
【補正対象書類名】明細書
【補正対象項目名】０２２９
【補正方法】変更
【補正の内容】
【０２２９】
また、入力される印刷情報中で指定される記録媒体の属性に一致する記録媒体が通紙可能な給紙口を検索した際に、複数の給紙口が検索される事態が発生しても、ユーザが意図するサイズで、かつ、用紙名称の一致する縦送りあるいは横送りのいずれか１つの送り方向を記録媒体の通紙の送り方向として決定することができる。
【手続補正５７】
【補正対象書類名】明細書
【補正対象項目名】０２３０
【補正方法】変更
【補正の内容】
【０２３０】
さらに、ユーザに設定された用紙名称を属性として記憶管理して、ユーザに身近な用紙名称を指定することにより、通紙すべき送り方向を確実に決定することができる。
【手続補正５８】
【補正対象書類名】明細書
【補正対象項目名】０２３１
【補正方法】変更
【補正の内容】
【０２３１】
また、登録した用紙名称を随時読み出して管理でき、新規設定された用紙名称を用紙名称データとして使用したり、不要となった用紙名称を容易に削除することができる。
【手続補正５９】
【補正対象書類名】明細書
【補正対象項目名】０２３２
【補正方法】変更
【補正の内容】
【０２３２】
また、印刷制御装置側における不揮発性メモリ容量を節減できる。
【手続補正６０】
【補正対象書類名】明細書
【補正対象項目名】０２３３
【補正方法】変更
【補正の内容】
【０２３３】
さらに、データ処理装置側から編集された用紙名称一覧を一括して登録管理することができる。
【手続補正６１】
【補正対象書類名】明細書
【補正対象項目名】０２３４
【補正方法】変更
【補正の内容】
【０２３４】
また、ユーザが意図する用紙名称を設定でき、誤りなく、かつ容易に識別可能な用紙名称を指定することができる。
【手続補正６２】
【補正対象書類名】明細書
【補正対象項目名】０２３５
【補正方法】変更
【補正の内容】
【０２３５】
また、データ処理装置からの要求に応じて管理している用紙名称一覧の確認や、編集が可能となる。
【手続補正６３】
【補正対象書類名】明細書
【補正対象項目名】０２３６
【補正方法】変更
【補正の内容】
【０２３６】
さらに、要求されている用紙名称を印刷装置側で容易に確認することができる。
【手続補正６４】
【補正対象書類名】明細書
【補正対象項目名】０２３７
【補正方法】変更
【補正の内容】
【０２３７】
また、印刷設定時に、印刷制御装置側で設定されている用紙名称を表示して、ユーザが意図する用紙名称を誤りなく指定することができるユーザインタフェースを構築することができる。
【手続補正６５】
【補正対象書類名】明細書
【補正対象項目名】０２３８
【補正方法】変更
【補正の内容】
【０２３８】
さらに、ユーザが意図する新たな用紙名称を自在に入力して印刷制御装置に登録することができる。
【手続補正６６】
【補正対象書類名】明細書
【補正対象項目名】０２３９
【補正方法】変更
【補正の内容】
【０２３９】
また、用紙名称の管理セキュリティを確保して、以前に登録された用紙名称が不用意に書き替えられたり、削除されてしまう等の事態を確実に回避して有用な用紙名称を一元管理することができる。
【手続補正６７】
【補正対象書類名】明細書
【補正対象項目名】０２４０
【補正方法】削除
【補正の内容】
【手続補正６８】
【補正対象書類名】明細書
【補正対象項目名】０２４１
【補正方法】削除
【補正の内容】
【手続補正６９】
【補正対象書類名】明細書
【補正対象項目名】０２４２
【補正方法】削除
【補正の内容】
【手続補正７０】
【補正対象書類名】明細書
【補正対象項目名】０２４３
【補正方法】削除
【補正の内容】
【手続補正７１】
【補正対象書類名】明細書
【補正対象項目名】０２４４
【補正方法】削除
【補正の内容】
【手続補正７２】
【補正対象書類名】明細書
【補正対象項目名】０２４５
【補正方法】削除
【補正の内容】
【手続補正７３】
【補正対象書類名】明細書
【補正対象項目名】０２４６
【補正方法】削除
【補正の内容】
【手続補正７４】
【補正対象書類名】明細書
【補正対象項目名】０２４７
【補正方法】削除
【補正の内容】
【手続補正７５】
【補正対象書類名】明細書
【補正対象項目名】０２４８
【補正方法】削除
【補正の内容】
【手続補正７６】
【補正対象書類名】明細書
【補正対象項目名】０２４９
【補正方法】削除
【補正の内容】
【手続補正７７】
【補正対象書類名】明細書
【補正対象項目名】０２５０
【補正方法】削除
【補正の内容】
【手続補正７８】
【補正対象書類名】明細書
【補正対象項目名】０２５１
【補正方法】削除
【補正の内容】
【手続補正７９】
【補正対象書類名】明細書
【補正対象項目名】０２５２
【補正方法】削除
【補正の内容】
【手続補正８０】
【補正対象書類名】明細書
【補正対象項目名】０２５３
【補正方法】削除
【補正の内容】
【手続補正８１】
【補正対象書類名】明細書
【補正対象項目名】０２５４
【補正方法】削除
【補正の内容】
【手続補正８２】
【補正対象書類名】明細書
【補正対象項目名】０２５５
【補正方法】削除
【補正の内容】